Podtech/llm-jp-corpus-v4-ja_patent huggingface dataset:
(57)【要約】【課題】ドアに網戸を取付けてドア機能として使用し、ドアと網戸を分離することにより網戸機能として使用する網戸付ドア及びその取付け装置並びに複数の戸を取付ける丁番に関する物である。【解決手段】ドア（１）に網戸（２）を取付けたもので、ドア機能と網戸機能を兼備した網戸付ドア。取っ手（ノブ）と錠（３）自動戸締まり（クローザー）（４）及びドアと網戸を固定する雄器具（５）を備えた網戸（２）でドアに網戸を取付ける装置。【選択図】        図１
2004300901.tif 000002
【特許請求の範囲】
【請求項１】
ドア（１）に網戸（２）を取付けたもので、ドア機能と網戸機能を兼備した網戸付ドア。
【請求項２】
取っ手（ノブ）と錠（３）自動戸締まり（クローザー）（４）及びドアと網戸を固定する雄器具（５）を備えた網戸（２）でドアに網戸を取付ける装置。
【請求項３】
枠取付け部（７）に、網戸取付け部（８）ドア取付け部（９）を備えた複数の戸を取付ける丁番。
【発明の詳細な説明】
【０００１】
【発明の属する技術分野】
本発明は、ドアに網戸を取付けてドア機能として使用し、ドアと網戸を分離することにより網戸機能として使用する網戸付ドア、並びにその取付け装置及び複数の戸を取付ける丁番に関する物である。
【０００２】
【従来の技術】
従来、虫の室内侵入防止と室内換気の為に、枠の内側に後ずけ網戸を取付けていた。また、ドアに取付けた自動戸締まり（クローザー）がドアの内側に突起している為に、網戸取付け時の突起物障害対策に、自動戸締まり（クローザー）用の別途の網戸部分を作成していた。
【０００３】
【発明が解決しよとする課題】
これには、次のような欠点があった。
（イ）後付け網戸の為に、ドアの自動戸締まり（クローザー）と取っ手（ノブ）と錠が支障になり、網戸の取付けが正常にできない。
（ロ）別途に網戸錠が必要になる。
（ハ）取付けた網戸が外開きに出来ない。
（ニ）内開きである為に、一枚網戸の取付けができない場合には二枚折り網戸になり出入りの障害になる。
（ホ）また、開閉がスムーズにおこなえない
（ヘ）後付け網戸に自動戸締まり（クローザー）の取付けができない。
本発明は、これらの欠点を解決する為になされたものである。
【０００４】
【課題を解決するための手段】
ドア（１）に網戸（２）を取付けたドア機能と網戸機能を兼備した網戸付ドア。取っ手（ノブ）と錠（３）自動戸締まり（クローザー）（４）及びドアと網戸を固定する雄器具（５）を備えた網戸（２）でドアに網戸を取付ける装置。枠取付け部（７）に網戸取付け部（８）ドア取付け部（９）を備えた複数の戸を取付ける丁番。
本発明は、以上の構成からなる網戸付ドア（１２）及びその取付け装置並びに複数の戸を取付ける丁番（１１）である。
【０００５】
【発明の実施の形態】
以下、本発明の実施の形態を説明する。
（イ）網戸は、取っ手（ノブ）と錠（３）、自動戸締まり（クローザー）（４）及びドアと網戸を固定する雄器具（５）を備える。
（ロ）上記（イ）を、ドアと網戸を固定する雌器具（６）を備えたドアに、取付け固定する事により、ドア機能と網戸機能を兼備する１枚の網戸付ドア（１２）になる構造である
（ハ）次に、ドア（１）部と網戸（２）部を、複数の戸を取付ける丁番（１１）を使用し枠（１０）に取付ける。
本発明は、以上のような構造でこれを使用するときは、ドア（１）と網戸（２）を固定する器具（５）（６）を解除しドア（１）と網戸（２）を分離した後、ドア（１）は開放し、取っ手（ノブ）と錠（３）により網戸（２）を閉めて施錠し虫の室内侵入防止と室内の換気を行う。
また、網戸付ドア（１２）は、ドア（１）の丁番の軸と網戸（２）の丁番の軸が一本の軸で構成する複数の戸を取付ける丁番（１１）が取付けられている。
その為に、ドア（１）と網戸（２）が独立して個別に自由に開閉が出来る構造である。また、ドアに網戸を取付けた状態では、ドア機能として使用する。
【０００６】
【発明の効果】
網戸に取っ手（ノブ）と錠が備えられており、１個の鍵で網戸機能使用時の施錠とドア機能使用時の施錠が出来る。
網戸が外開きで、出入りがスムーズに行える。
網戸に自動戸締まり（クローザー）を取付ける事により、網戸機能使用時の自動戸締まりとドア機能使用時の自動戸締まりが出来る。
錠と丁番で網戸を固定しているため網戸を堅牢にする事により、虫の室内侵入防止と換気を行う時にも防犯上安全である。
【図面の簡単な説明】
【図１】本発明の網戸付ドアの斜視図である。
【図２】本発明の網戸付ドアの平面斜視図である。
【図３】本発明の網戸付ドアの斜視図である。
【図４】本発明の網戸付ドアの斜視図である。
【図５】本発明のドアに網戸を取付ける装置の正面斜視図である。
【図６】本発明のドアに網戸を取付ける装置の部分拡大正面図である。
【図７】本発明のドアに網戸を取付ける装置の部分拡大左側面斜視図である。
【図８】本発明のドアに網戸を取付ける装置の部分拡大左側面図である。
【図９】本発明の網戸付ドアの背面斜視図である。
【図１０】本発明の網戸付ドアの部分拡大背面斜視図である。
【図１１】本発明の網戸付ドアの背面斜視図である。
【図１２】本発明の複数の戸を取付ける丁番の実施部分拡大背面斜視図である。
【図１３】本発明の複数の戸を取付ける丁番の実施部分拡大背面斜視図である。
【図１４】本発明の複数の戸を取付ける丁番の正面図である。
【符号の説明】
１    ドア
２    網戸
３    取っ手（ノブ）と錠
４    自動戸締まり（クローザー）
５    ドアと網戸を固定する雄器具
６    ドアと網戸を固定する雌器具
７    枠取付け部
８    網戸取付け部
９    ドア取付け部
１０  枠
１１  複数の戸を取付ける丁番
１２  網戸付ドア
【図１】
2004300901.tif 000003
【図２】
2004300901.tif 000004
【図３】
2004300901.tif 000005
【図４】
2004300901.tif 000006
【図５】
2004300901.tif 000007
【図６】
2004300901.tif 000008
【図７】
2004300901.tif 000009
【図８】
2004300901.tif 000010
【図９】
2004300901.tif 000011
【図１０】
2004300901.tif 000012
【図１１】
2004300901.tif 000013
【図１２】
2004300901.tif 000014
【図１３】
2004300901.tif 000015
【図１４】
2004300901.tif 000016
(57)【要約】【課題】従来のジャンパーは、重度な要介護者が着脱するには困難である。【解決手段】従来のジャンパーを前後反対にして着る構造の介護用ジャンパーによって、着脱介助に便利な手段を提供する。【選択図】図１
2004300646.tif 000002
【特許請求の範囲】
【請求項１】
通常のジャンパーの着る向きを前後逆にした構造を特徴とする介護用ジャンパー。
【請求項２】
背面のファスナーを上から閉じることを特徴とする請求項１記載の介護用ジャンパー。
【請求項３】
フードを取付け、通常のジャンパーとしても使えることを特徴とする請求項１記載の介護用ジャンパー。
【発明の詳細な説明】
【０００１】
【発明の属する技術分野】本発明は衣類の構造に関する。
【０００２】
【従来の技術】介護用トレーナー・浴衣、通常のジャンパー等がある。
【０００３】
【発明が解決しようとする課題】今まで、介護用衣類としてジャンパーがなく、通常のジャンパーしかなかった。しかし、通常のジャンパーでは重度な要介護者が着脱するには困難である。重度な要介護者の場合、日常の生活において介助者等、他人手により衣類の着脱や交換を依頼することになる。したがってジャンパーの着脱にあたり、姿勢に無理なく、簡単にこの動作を行なう方法や衣類が求められる。
【０００４】
【課題を解決するための手段】以上の課題を解決するために、請求項１の発明は、ジャンパーの着る向きを前後逆にした構造を特徴とする介護用ジャンパーである。また、請求項２の発明は、背面のファスナーを上から閉じることを特徴とする介護用ジャンパーである。さらに、請求項３の発明は、フードを取付け、通常のジャンパーとしても使えることを特徴とする介護用ジャンパーである。
【０００５】
【発明の実施の形態】図面を使用して説明すると、図２のファスナーを閉じるフック（上部）４を設け、さらに、図１のように襟ファスナー１を取付けた構造にする。また、通常のジャンパーとして使う場合は、図３のようにフード７をマジックテープ８で装着した構造となる。
【０００６】
【実施形態の効果】この実施形態によれば、通常のジャンパーよりも、十分に介護しやすい構造の介護用ジャンパーと方法を提供できる。
【０００７】
【発明の効果】このように構成した介護用ジャンパーによって、重度な要介護者の着脱介助にあたり、姿勢に無理なく、簡単にこの動作を行なうことが可能となる。
【０００８】
また、ファスナーを上から閉じることで締めやすくなる。
【０００９】
さらに、前後の向きを戻し、フードを取付けて通常のジャンパーとしても使うことができる。
【図面の簡単な説明】
【図１】「正面図を示した平面図である。」
【図２】「背面図１を示した平面図である。」
【図３】「背面図２を示した平面図である。」
【符号の説明】
１  襟ファスナー        ２  袖口          ３  裾絞り
４  ファスナーを閉じるフック（上部）        ５  普通のファスナー
６  ファスナーを閉じるフック（下部）      ７  フード
８  マジックテープ                        ９  隠れたファスナー部
【図１】
2004300646.tif 000003
【図２】
2004300646.tif 000004
【図３】
2004300646.tif 000005
(57)【要約】【課題】産前から産後まで、変化する体型に対応して適切に使用できる妊婦用腹帯を提供することにある。【解決手段】少なくとも胸部から腰までを伸縮性素材により被覆可能な筒状に形成されたものである。また、パワーネットのごときキックバック性の優れた素材よりなるベルト部を適所に設けてなるものである。【選択図】    図１
2004300642.tif 000002
【特許請求の範囲】
【請求項１】
少なくとも胸部から腰までを伸縮性素材により被覆可能な筒状に形成されたことを特徴とする妊婦用腹帯。
【請求項２】
パワーネットのごときキックバック性の優れた素材よりなるベルト部を適所に設けてなる請求項１記載の妊婦用腹帯。
【発明の詳細な説明】
【０００１】
【発明の属する技術分野】
本発明は、産前から産後まで、変化する体型に対応して適切に使用できる多用途タイプの妊婦用腹帯に係るものである。
【０００２】
【従来の技術】
従前から、様々なタイプの妊婦用腹帯が知られているが、産前あるいは産後の一時期に対応するものが多い。これは、産前あるいは産後の母体は日々変化する体型であるため、一種類の妊婦用腹帯により産前から産後まで適切にカバーすることは難しいという事情が存在しているからである。
【０００３】
【発明が解決しようとする課題】
本発明は、上記した実状に鑑みてなされたもので、産前から産後まで、変化する体型に対応して適切に使用できる妊婦用腹帯を提供することを目的とするものである。
【０００４】
【問題を解決するための手段】
本発明に係る妊婦用腹帯は、少なくとも胸部から腰までを伸縮性素材により被覆可能な筒状に形成されたものである。
また、パワーネットのごときキックバック性の優れた素材よりなるベルト部を適所に設けてなるものである。
【０００５】
【作用】
以下、本発明に係る妊婦用腹帯の作用について説明する。
本発明に係る妊婦用腹帯は、少なくとも胸部から腰までを伸縮性素材により被覆可能な筒状に形成されているから、例えば、産前においては、ポイントでしっかり支えたい時は、下腹部から腰にかけて三重に折りたたみ、そして、ゆったりめに支えたい時は、下腹部から腰にかけて二重に折りたためばよい。
また、産後にあっては、ポイントで引き締めたい時は、三重に折りたたみ、そして、おやすみ時には、二重に折りたためばよい。
その他、一重にしてインナーウエアとしても使用できる。
さらに、パワーネットのごときキックバック性の優れた素材よりなるベルト部を適所に設ければ、ポイントで引き締めたい時などにベルト部の位置をその位置に配置するようにすれば、より強く引き締めることができる。
【０００６】
【実施例】
以下、本発明の妊婦用腹帯について、図面に示す実施例に基づき説明する。
図１において、本発明に係る妊婦用腹帯１は、少なくとも胸部から腰までを伸縮性素材により被覆可能な筒状に形成されるとともに、パワーネットのごときキックバック性の優れた素材よりなるベルト部２が一端に周設されている。
図２から図４は、産前において、お腹をしっかり支えたい時の折りたたみ要領を示している。本発明に係る妊婦用腹帯１を表側から着用し、下腹部から腰にかけてのポイント部分で三重に折りたたんで引き締め力をアップさせるとともに、パワーネットのごときキックバック性の優れた素材よりなるベルト部２も配置することにより、腹部分はしっかり支えられている。
また、図５から図７は、産前において、お腹をゆったりめに支えたい時の折りたたみ要領を示している。本発明に係る妊婦用腹帯１を裏側から着用し、下腹部から腰にかけて二重に折りたたんでいる。これによりお腹をゆったりと支えることができる。
そしてまた、図８から図１０は、産後において、ポイントで引き締めたい時の折りたたみ要領を示している。本発明に係る妊婦用腹帯１を表側から着用し、ポイント部分で三重に折りたたんでいる。これにより、ポイントで引き締めることができる。
さらにまた、図１１から図１３は、産後において、おやすみ時やリラックス時の折りたたみ要領を示している。本発明に係る妊婦用腹帯１を表側から着用し、二重に折りたたんでいる。これにより、おやすみ時にゆったりとお腹を保持できることとなる。
その他、図示しないが、一重にして胸部から腰までを被覆すれば形インナーウエアとしても使用できる。
尚、図中、点線部分は本発明に係る妊婦用腹帯１の裏面を示している。また、この実施例では、本発明の妊婦用腹帯を、産前産後そしてインナーウエアとして使用する例を示したが、その他の使用方法でもよいことは勿論である。
【０００７】
【発明の効果】
以上の説明から明らかなように、本発明に係る妊婦用腹帯は、少なくとも胸部から腰までを伸縮性素材により被覆可能な筒状に形成したから、産前から産後まで、変化する体型に対応して適切に使用できる顕著な効果が得られるものである。
また、パワーネットのごときキックバック性の優れた素材よりなるベルト部を適所に設ければ、ポイントで引き締めたい時などにベルト部の位置をその位置に配置するようにすれば、より強く引き締めることができる効果も得られる。
【図面の簡単な説明】
【図１】本発明に係る妊婦用腹帯の実施の一例を示す正面図である。
【図２】本発明に係る妊婦用腹帯を、産前において、お腹をしっかり支えたい時の折りたたみ要領を示す概略斜視図である。
【図３】図２の妊婦用腹帯の折りたたみ要領における概略背面図である。
【図４】図２の妊婦用腹帯の折りたたみ要領におけるお腹の中心部から前面をみた概略説明図である。
【図５】本発明に係る妊婦用腹帯を、産前において、お腹をゆったりめに支えたい時の折りたたみ要領を示す概略斜視図である。
【図６】図５の妊婦用腹帯の折りたたみ要領における概略背面図である。
【図７】図５の妊婦用腹帯の折りたたみ要領におけるお腹の中心部から前面をみた概略説明図である。
【図８】本発明に係る妊婦用腹帯を、産後において、ポイントで引き締めたい時の折りたたみ要領を示す概略斜視図である。
【図９】図８の妊婦用腹帯の折りたたみ要領における概略背面図である。
【図１０】図８の妊婦用腹帯の折りたたみ要領におけるお腹の中心部から前面をみた概略説明図である。
【図１１】本発明に係る妊婦用腹帯を、産後において、おやすみ時やリラックス時の折りたたみ要領を示す概略斜視図である。
【図１２】図１１の妊婦用腹帯の折りたたみ要領における概略背面図である。
【図１３】図１１の妊婦用腹帯の折りたたみ要領におけるお腹の中心部から前面をみた概略説明図である。
【符号の説明】
１  本発明に係る妊婦用腹帯
２  ベルト部
【図１】
2004300642.tif 000003
【図２】
2004300642.tif 000004
【図３】
2004300642.tif 000005
【図４】
2004300642.tif 000006
【図５】
2004300642.tif 000007
【図６】
2004300642.tif 000008
【図７】
2004300642.tif 000009
【図８】
2004300642.tif 000010
【図９】
2004300642.tif 000011
【図１０】
2004300642.tif 000012
【図１１】
2004300642.tif 000013
【図１２】
2004300642.tif 000014
【図１３】
2004300642.tif 000015
(57)【要約】【課題】赤ちゃんをゲップさせた者の服をよごさないようにするための、使い捨ての片側肩当てシートを提供する。【解決手段】ミルク吸収シート本体（１）を表面（３）・裏面（４）の二重構造として、ギャザー（２）を設ける。裏面（４）の両端に粘着テープ（５）、その上には粘着テープシート（６）を付け、粘着テープシート（６）をはがすことにより服にミルク吸収シート本体（１）を粘り付けられることを特徴とする。【選択図】    図２
2004300647.tif 000002
【特許請求の範囲】
【請求項１】
ミルク吸収シート本体（１）にギャザー（２）を設け、粘着テープ（５）を裏面（４）の両端に付けた使い捨ての赤ちゃんゲップ時用片側肩当てシート。
【発明の詳細な説明】
【０００１】
【発明の属する技術分野】
この発明は、ミルク・母乳などを飲んだ赤ちゃんをゲップさせる時に、ゲップさせる者が服に装着する、使い捨てのゲップ時用片側肩当てシートに関するものである。
【０００２】
【従来の技術】
従来は、赤ちゃんをゲップさせる者が肩にガーゼやタオルを当て、戻したミルク・母乳などが服に浸透しないようにしていた。
【０００３】
【発明が解決しようとする課題】
これには、次のような欠点があった。
（イ）赤ちゃんをゲップさせた者の服にまで、戻したミルク・母乳などが浸透してしまい、そのたび着替えしなければいけなかった。
（ロ）ガーゼやタオルなどは、何度も洗濯しなければいけなかった。
（ハ）外出時に服にミルク・母乳などが浸透するのは、不衛生的であった。
（ニ）産院・病院などで、同じガーゼやタオルを使い回ししている様子は極めて不衛生的であった。
本発明は、これらの欠点を除くためになされたものである。
【０００４】
【課題を解決するための手段】
ミルク吸収シート本体（１）は、表面（３）・裏面（４）の二重構造とする。表面（３）は、赤ちゃんが戻したミルク・母乳などを素早く吸収するコットンなどの素材とし、裏面（４）はミルク・母乳などを通さないレーヨン・ナイロン・ポリエステル・ポリエチレンなどの素材とする。ギャザー（２）は快適なフィット感と伸張性をもたせ、裏面（４）の両端には粘着テープ（５）を付け、粘着テープ（５）の上には粘着テープシート（６）を付ける。
本発明は、以上の構成よりなる赤ちゃんゲップ時用片側肩当てシートである。
【０００５】
【発明の実施の形態】
以下、本発明の実施例について説明する。
（イ）ミルク吸収シート本体（１）を表面（３）と裏面（４）の二重構造として、ギャザー（２）を設け、粘着テープ（５）と粘着テープシート（６）を付ける。
（ロ）粘着テープ（５）・粘着テープシート（６）は、裏面（４）の両端に設ける。
本発明は以上のような構造で、これを使用するときは、赤ちゃんをゲップさせる前に裏面両端の粘着テープシート（６）をはがし、ゲップさせる者の片側の肩（８）にミルク吸収シート本体（１）を半分に折った状態で乗せる。
次に、首（７）にギャザー（２）をフィットさせて粘着テープ（５）を服に粘り付ける。
なお、ミルク吸収シート本体（１）は、右肩・左肩のどちらにも使用でき、粘着テープ（５）によって服（９）に粘り付けられる。
【０００６】
【発明の効果】
このように、赤ちゃんをゲップさせる者の肩で戻したミルクや母乳などは、表面材により素早く吸収され、裏面材により服には浸透しない。ゲップ終了後は、粘着テープなのでシート本体をすぐにはがすことができ、どこでも使用して捨てられるので極めて清潔である。
【図面の簡単な説明】
【図１】本発明の正面図である。
【図２】本発明の斜視図である。
【図３】本発明のシート本体断面構造図である。
【図４】本発明の使用状態を示す正面図である。
【符号の説明】
１  ミルク吸収シート本体
２  ギャザー
３  表面
４  裏面
５  粘着テープ
６  粘着テープシート
７  首
８  肩
９  服
【図１】
2004300647.tif 000003
【図２】
2004300647.tif 000004
【図３】
2004300647.tif 000005
【図４】
2004300647.tif 000006
(57)【要約】【課題】低降伏点鋼パネルが簡単に交換できる制震装置を提供することである。【解決手段】制震装置１は、プレストレストコンクリート柱２とプレストレストコンクリート梁３、４とで囲まれた領域における天井側および床側のプレストレストコンクリート梁３、４にＰＣ鋼棒７で間柱部材５が設置され、これらの間柱部材５がその間に設置された低降伏点鋼パネル６で接続され、該低降伏点鋼パネル６がＰＣ鋼棒７のアンカーヘッド１３で取外自在に設置されたものである。【選択図】  図１
2004300770.tif 000002
【特許請求の範囲】
【請求項１】
プレストレストコンクリート柱とプレストレストコンクリート梁とで囲まれた領域における天井側および床側のプレストレストコンクリート梁にＰＣ鋼棒で間柱部材が設置され、これらの間柱部材がその間に設置された低降伏点鋼パネルで接続され、該低降伏点鋼パネルがＰＣ鋼棒のアンカーヘッドで取外自在に設置されたことを特徴とする制震装置。
【請求項２】
プレストレストコンクリート梁と間柱部材とはプレキャストコンクリート部材であることを特徴とする請求項１に記載の制震装置。
【発明の詳細な説明】
【０００１】
【発明の属する技術分野】
本発明は制震装置に関するものである。
【０００２】
【従来の技術】
近年、地震から構造物を保護するものとして、特開平１０−２２７１５５号公報の制震装置がある。この制震装置の他に、図４に示すようなものもある。この制震装置１６は、天井側および床側の鉄骨梁１７、１８間に低降伏点鋼パネル１９が取付ボルト２０で設置されたものである。
【０００３】
【特許文献１】
特開平１０−２２７１５５号公報（図３）
【０００４】
【発明が解決しようとする課題】
しかし、上記の制震装置は低降伏点鋼パネルが多くのボルトで設置されているため、地震による破壊後の交換に手間がかかるという問題があった。
【０００５】
本願発明は上記のような問題に鑑みてなされたものであり、その目的は、低降伏点鋼パネルが簡単に交換できる制震装置を提供することである。
【０００６】
【課題を解決するための手段】
以上の課題を解決するための本発明の制震装置は、プレストレストコンクリート柱とプレストレストコンクリート梁とで囲まれた領域における天井側および床側のプレストレストコンクリート梁にＰＣ鋼棒で間柱部材が設置され、これらの間柱部材がその間に設置された低降伏点鋼パネルで接続され、該低降伏点鋼パネルがＰＣ鋼棒のアンカーヘッドで取外自在に設置されたものである。またプレストレストコンクリート梁と間柱部材とはプレキャストコンクリート部材であることを含むものである。
【０００７】
低降伏点鋼パネルがＰＣ鋼棒のアンカーヘッドを利用して設置されているため、取り外しが簡単にでき、地震後の破壊による交換が容易になる。またプレストレストコンクリート梁と間柱部材とがプレキャストコンクリート部材であるため、これらを予め工場などで制作し、組み立てた状態で搬入できるので、制震装置の組立形成が簡単にできる。
【０００８】
【発明の実施の形態】
以下、本発明の制震装置の実施の形態を図面に基づいて説明する。この制震装置は、図１に示すような、プレストレストコンクリート部材で構築される超高層建物Ａの上下の梁間に設置されるものである。
【０００９】
この制震装置１は、図２に示すように、プレストレストコンクリート柱２とプレストレストコンクリート梁３、４で囲まれた領域における間柱部材５の間に低降伏点鋼パネル６が設置されて構成されている。
【００１０】
この領域内における天井側および床側のプレストレストコンクリート梁３、４には、その中央部にＰＣ鋼棒７によって間柱部材５が設置されている。この間柱部材５とプレストレストコンクリート梁３とはプレキャストコンクリート部材であるため、予め工場で組み立てて搬入するか、あるいは搬入した後に現場で組み立てるものとする。この間柱部材５はプレキャストコンクリート梁３を上下から挟み付けるようにして、ＰＣ鋼棒７で所定のプレストレストが付与されて取り付けられている。したがって、プレストレストコンクリート柱２間にプレストレストコンクリート梁３、４を設置すると同時に間柱部材５を設置することができる。
【００１１】
この低降伏点鋼パネル６は上下の固定プレート８間にパネル材９が設けられ、このパネル材９には縦プレート１０と横プレート１１とが設けられて構成されている。この固定プレート８のボルト孔１２にはＰＣ鋼棒のネジ付きアンカーヘッド１３が挿入されて、これにナット１４がねじ込まれて低降伏点鋼パネル６が取り付けられている。したがって、上記のナット１４をアンカーヘッド１３から外すことにより、低降伏点鋼パネル６を間柱部材５の間から簡単に取り外すことができるので、地震による破壊後の交換が簡単にできる。
【００１２】
【発明の効果】
低降伏点鋼パネルがＰＣ鋼棒のアンカーヘッドを利用して設置されているため、取り外しが簡単にでき、地震後の破壊による交換が容易になる。
【００１３】
プレストレストコンクリート梁と間柱部材とがプレキャストコンクリート部材であるため、これらを予め工場などで制作し、組み立てた状態で搬入できるので、制震装置の組立形成が簡単にできる。
【図面の簡単な説明】
【図１】制震装置が組み付けられる超高層建物の正面図である。
【図２】制震装置の正面図である。
【図３】（１）は制震装置の一部切欠拡大正面図、（２）は要部の一部切欠拡大正面図である。
【図４】制震装置の断面図である。
【図５】図４のＢ−Ｂ線断面図である。
【図６】（１）は従来の制震装置の正面図、（２）は（１）のＣ−Ｃ線断面図である。
【符号の説明】
１、１６  制震装置
２  プレストレストコンクリート柱
３、４  プレストレストコンクリート梁
５  間柱部材
６、１９  低降伏点鋼パネル
７  ＰＣ鋼棒
８  固定プレート
９  パネル材
１０  縦プレート
１１  横プレート
１２  ボルト孔
１３  アンカーヘッド
１４  ナット
１７、１８  鉄骨梁
２０  取付ボルト
【図１】
2004300770.tif 000003
【図２】
2004300770.tif 000004
【図３】
2004300770.tif 000005
【図４】
2004300770.tif 000006
【図５】
2004300770.tif 000007
【図６】
2004300770.tif 000008
【手続補正書】
【提出日】平成15年4月28日(2003.4.28)
【手続補正１】
【補正対象書類名】明細書
【補正対象項目名】０００２
【補正方法】変更
【補正の内容】
【０００２】
【従来の技術】
近年、地震から構造物を保護するものとして、特開平１０−２２７１５５号公報の制震装置がある。この制震装置の他に、図６に示すようなものもある。この制震装置１６は、天井側および床側の鉄骨梁１７、１８間に低降伏点鋼パネル１９が取付ボルト２０で設置されたものである。
(57)【要約】【課題】本発明は水害時等の緊急事態において、自動車の排気口から水が侵入するのを極力防ぎ、エンジンが壊れるリスクを大幅に軽減するワンタッチ着脱式延長排気管を提供する。【解決手段】ワンタッチ着脱式の延長排気管を自動車の排気管に取り付け、排気管からの水の侵入を大幅に減少させるようにした。【選択図】　　　　図２
2004068802.tif 000002
【特許請求の範囲】
【請求項１】
自動車の排気管に取り付ける着脱式の延長排気管
【発明の詳細な説明】
【０００１】
【発明の属する技術分野】
本発明は自動車の排気管に着脱式の延長排気管を取り付けることによって、水害時等に自動車の排気管からの水の侵入を防ぐようにしたものである。
【０００２】
【従来の技術】
従来は、水侵入防止のために自動車の排気管に取り付ける着脱式の延長排気管はなかった。
【０００３】
【発明が解決しようとする課題】
水害時等、自動車の排気管の地面からの高さ以上に水位が上がると、排気管から水が侵入しエンジンが壊れる事態が多発する問題があった。
【０００４】
【課題を解決するための手段】
自動車の排気管から水が侵入しにくくするため（又は侵入の時間を遅らせるため）ワンタッチ着脱式の延長排気管を自動車の排気管へ取り付けることにより上記課題を解決するものである。
【０００５】
【発明の実施の形態】
図１のような形状の延長排気管を図２のように自動車の排気管にワンタッチで取り付ける。
【０００６】
【発明の効果】
排気管から水が侵入しにくくなり、自動車のエンジンが壊れるリスクを大幅に軽減できる。
【図面の簡単な説明】
【図１】本発明の正面図である。
【図２】発明した延長排気管の使用状況を示す平面図である。
【図３】発明した延長排気管を自動車に取り付け、離れて見たときの平面
図である。
【符号の説明】
１　　延長排気管の本体
２　　自動車の排気管に着脱する部分
３　　排気ガスの出る排気口
４　　自動車の排気管
５　　自動車
【図１】
2004068802.tif 000003
【図２】
2004068802.tif 000004
【図３】
2004068802.tif 000005
(57)【要約】【課題】新駆動方式を採用した駆動装置、例えばエレベータ駆動装置の改良装置を得ること。【解決手段】被移動体、例えばエレベータの乗かごを支持するロープ又はベルト状の張力部材がシーブに巻き付けられ、該シーブに巻き掛けられた該張力部材の円弧領域に接触するベルトを、モータにより循環駆動するベルトを有する駆動装置において、１．ベルトは三つのプーリに巻き掛けられ該プーリには溝を有し、ベルトには該溝に嵌合するリブを有する。２．ベルトは三つのプーリに巻き掛けられ、該プーリの外周側部には返しを設ける。ものである。【選択図】　　　　図１
2004068966.tif 000002
【特許請求の範囲】
【請求項１】
被移動体を支持するロープ又はベルト状の張力部材がシーブに巻き付けられ、該シーブに巻き掛けられた該張力部材の円弧領域に接触するベルトを、モータにより循環駆動するベルトを有する駆動装置において、
前記ベルトは三つのプーリに巻き掛けられ該プーリには溝を有し、前記ベルトには該溝に嵌合するリブを有することを特徴とする駆動装置。
【請求項２】
前記リブはＶ形状リブであることを特徴とする請求項１に記載の駆動装置。
【請求項３】
被移動体を支持するロープ又はベルト状の張力部材がシーブに巻き付けられ、該シーブに巻き掛けられた該張力部材の円弧領域に接触するベルトを、モータにより循環駆動するベルトを有する駆動装置において、
前記ベルトは三つのプーリに巻き掛けられ、該プーリの外周側部には返しを設けたことを特徴とする駆動装置。
【請求項４】
該返しには油吸収体が挿入されていることを特徴とする請求項３に記載の駆動装置。
【発明の詳細な説明】
【０００１】
【発明の属する技術分野】
本発明は、新しい駆動機構を備えた例えば、エレベータの駆動装置の改良に関するものである。
【０００２】
【従来の技術】
図３はこの新しい駆動装置の全体を示す斜視図である。駆動装置１０は主ロープ１が巻き掛けられたシーブ２を取り囲むように配置されたフレーム１１内に収められ、ベルト１２が三つのプーリ１３，１４，１５に巻きかけられ、かつシーブ２の上方に覆い被さって上方から主ロープ１をシーブ２に押付けるように配置されている。プーリ１３には図示しないモータが連結されて回転駆動され、ベルト１２の循環運動を通じてシーブ２と主ロープ１とを共に移動させ、乗りかご（図示しない）を昇降させる機構になっている。そして、乗かごが建物の階床に停止すると、モータに設けられた通常のブレーキを作動させて、乗かごを静止状態に保つようにしている。
【０００３】
ここで、プーリ１４及びプーリ１５については、ベルト１２に適度張力を与えるために、垂直方向に移動自在（例えば、図３に示す通りボルトナットと長穴により構成）にフレーム１１に設けている。
【０００４】
【発明が解決しようとする課題】
このような機構であれば、シーブ２へのベルト１２の押付け力を十分に確保すれば、主ロープ１のすべりを皆無にできるメリットがあるが、プーリ１３，１４，１５の芯だし不良により、ベルト１２が蛇行したり片寄りを起こすと、最悪の場合ベルト１２が脱落する虞があった。又、プーリのベアリングからグリースが漏れ出してベルトに付着してしまうと、ベルト１２とプーリ１３等との間にグリースが入ることによりスリップが生じて、主ロープ１を十分に駆動できず、不平衡荷重の影響を受けて乗かごが低速で移動したりする問題もあった。
【０００５】
本発明は、上記の点に鑑みなされたもので、極めて信頼性の高い駆動装置を提供することを目的とする。
【０００６】
【課題を解決するための手段】
本発明は、被移動体を支持するロープ又はベルト状の張力部材がシーブに巻き付けられ、該シーブに巻き掛けられた該張力部材の円弧領域に接触して往復移動するベルトを有する駆動装置において、
１．ベルトは三つのプーリに巻き掛けられ該プーリには溝を有し、ベルトには該溝に嵌合するリブを有する。
２．ベルトは三つのプーリに巻き掛けられ、該プーリの外周側部には返しを設ける。
ものである。
【０００７】
【発明の実施の形態】
本発明は、次の二つの観点に立って構成するものである。
１．ベルトの蛇行を防止して信頼性を高める。
２．ベルトへの油の付着を防止して信頼性を高める。
【０００８】
【実施例】
以下、本発明の一実施例について、図面を用いて説明する。
図１は本発明に係るプーリの一例を示す断面図、図２は本発明に係るプーリとベルトとの係合関係の一例を示す断面図である。本発明については、エレベータ装置以外の駆動装置についても、当然適用できる技術である。
【０００９】
まず、ベルトへの油の付着を防止する構成について説明する。
図中、図３と同一符号のものは同一のものを示すが、２０は本発明に係るプーリで、シャフトブロック２１に固定されたシャフト２２にベアリング２３を介して回動自在に設けられており、側部には一周にわたって返し２４が設けられ、ベアリング２３から漏れ出してくるグリースを受けられるように構成されている。そして、この返し２１にはドーナツ状の油吸収体２５などが挿入されている。したがって、万一グリースが漏れ出してきてもこの油吸収体２２にグリースが吸収されるため、後述するベルト３０に油が付着することはない。２６はカバーである。
【００１０】
次に、ベルト３０の蛇行を防止する構成について説明する。
図２に示すように、プーリ２０の外周には例えばＶ溝２０ａを設ける。一方、ベルト３０には図２に示すように、プーリ２０に対向する面にはリブ３０ａを有し、プーリ２０の溝２０ａに嵌合してベルト３０が蛇行しないように構成する。このようにすれば、ベルト３０の蛇行を確実に抑えることができ好都合である。そして、３０ｂは主ロープ１と接触する窪みである。
【００１１】
ここで、実施例ではＶリブベルトの例について述べているが、これはどのような形状のリブベルトであってもよく、実施例に限定されないことは言うまでもない。
【００１２】
【発明の効果】
以上述べたように、本発明によればベルトへの油の付着やベルトの蛇行を未然に防止することができるため、信頼性の高い駆動装置を得ることができる。
【図面の簡単な説明】
【図１】本発明に係るプーリの一例を示す断面図である。
【図２】本発明に係るプーリとベルトとの係合関係の一例を示す断面図である。
【図３】新しい駆動装置の全体を示す斜視図である。
【符号の説明】
１　主ロープ
２　シーブ
１２，３０　ベルト
３０ａ　ベルト３０のリブ
１３，１４，１５，２０　プーリ
２０ａ　プーリ２０の溝
２３　ベアリング
２４　返し
２５　油吸収体
【図１】
2004068966.tif 000003
【図２】
2004068966.tif 000004
【図３】
2004068966.tif 000005
(57)【要約】【課題】従来、屋外暴露配管部分の劣化対策については、配管被覆カバーの外表にカーボンブラックを添加したキャンバステープを巻回してきたが、テープの巻回には多大な時間と労力がかかるほか、テープの外表がカーボン色の黒となるため、配管環境が黒という色彩によって陰鬱な雰囲気をもたらす問題があった。【解決手段】配管被覆カバーをエチレンビニデンアセテート樹脂被膜２によって表面を被覆したポリエチレン発泡材１を管状に構成して給排水管Ａの外表を被覆するように構成した。【選択図】図１
2004068928.tif 000002
【特許請求の範囲】
【請求項１】
エチレンビニデンアセテート樹脂被膜によって表面を被覆したポリエチレン等による発泡材を管状に構成して給排水管の外表を被覆するようにした配管被覆カバー
【発明の詳細な説明】
【０００１】
【産業上の利用分野】
本発明は、住宅の水回り配管、床暖房放熱配管等のシステム配管の外表を被覆して管材を保護すると共に断熱性や保温性を与える配管被覆カバーに、耐候性を与えるようにした配管被覆カバーに関するものである。
【０００２】
【発明が解決しようとする課題】
従来、住宅の水回り配管、床暖房放熱配管等のシステム配管の屋外暴露配管部分の劣化対策については、発泡材等による配管被覆カバーの外表にカーボンブラックを添加したキャンバステープを巻回して対応してきた。
【０００３】
キャンバステープの巻回には多大な時間と労力を必要とするほか、テープの外表がカーボンブラック色の黒となるため、配管環境が黒という色彩によって陰鬱な雰囲気をもたらすことになる。
【０００４】
耐候性の問題は、本来、屋外暴露配管部分に対するものではあるが、その部分だけに特殊な配管被覆カバーを用いることは能率やコストの面で返って不利となるため、配管全体について統一したカバーを用いなければならないといった問題もあり、カバー外表の色調は少しでも明るい色が望まれる。
【０００５】
【課題を解決するための手段】
本発明は上記した課題に対応しようとするものであり、エチレンビニデンアセテート樹脂被膜によって表面を被覆したポリエチレン、ポリプロピレン等による発泡材を管状に構成して給排水管の外表を被覆するようにして配管被覆カバーを構成するようにしたものである。
【０００６】
即ち、エチレンビニデンアセテート樹脂（ＥＶＡ）は、紫外線吸収力があり素材色はグレイないしはアイボリーの柔らかな色彩で、適度な硬度を有してエンボス加工も可能な素材となっている。
【０００７】
因みに、エチレンビニデンアセテート樹脂（ＥＶＡ）についてサンシャインウェザーメーター試験を行なった結果によれば、通常素材では１〜２年しか認められない耐久性が１５年程度認められている。
【０００８】
【実施例】
以下、本発明の実施例を図面を参照して説明する。１はポリエチレン発泡材で、外表にエンボス加工ａを施したエチレンビニデンアセテート樹脂シート２が添加され、工業ドライヤーによってシート２が熱風溶着されると共に管状に成形加工されている。
【０００９】
Ａは架橋ポリエチレン管等によって構成される給排水管で、上記によって成形されたカバー本体の配管挿入孔３内に挿入収納され、配管材として商品化されるものであるが、必要に応じて信号線や発熱線、電気配線（何れも図示しない。）等が配管Ａに添わせて挿入孔３内に付加挿入される。
【００１０】
また、給湯システム配管のように２本の架橋ポリエチレン管を添わせてツイン配管する場合には、本発明の実施によって成形された２本のカバー本体を並列して沿接部を溶着することによってツインカバーとしても用いることができる。
【００１１】
本発明は以上のように構成したので、屋外暴露配管部分についてキャンバステープの巻回などの特別の加工を行なうことなく、統一的な配管を行なうことができ色彩的にも柔らかなグレイないしはアイボリー調で配管環境を損なうこともない配管材を提供することができたものである。
【００１２】
【図面の簡単な説明】
【図１】本発明の実施例による配管被覆カバーの配管挿入孔内に給排水管を挿入収納した状態の構造を示す断面図
【符号の説明】
１　　　ポリエチレン発泡材
２　　　エチレンビニデンアセテート樹脂被膜
３　　　配管挿入孔
ａ　　　エンボス加工部
Ａ　　　給排水管
【図１】
2004068928.tif 000003
(57)【要約】【課題】従来、屋外暴露配管部分の劣化対策については、配管被覆カバーの外表にカーボンブラックを添加したキャンバステープを巻回してきたが、テープの巻回には多大な時間と労力がかかるほか、テープの外表がカーボン色の黒となるため、配管環境が黒という色彩によって陰鬱な雰囲気をもたらす問題があった。【解決手段】配管被覆カバーをカーボンブラックを添加したポリエチレンフィルム２の表面に着色顔料によって着色したポリエチレンフィルム３を重ねた二層フィルムによって表面を被覆したポリエチレン発泡材１を管状に構成して給排水管Ａの外表を被覆するように構成した。【選択図】図１
2004068929.tif 000002
【特許請求の範囲】
【請求項１】
カーボンブラックを添加したポリエチレンフィルムの表面に着色顔料によって着色したポリエチレンフィルムを重ねた二層フィルムによって表面を被覆したポリエチレン等による発泡材を管状に構成して給排水管の外表を被覆するようにした配管被覆カバー
【発明の詳細な説明】
【０００１】
【産業上の利用分野】
本発明は、住宅の水回り配管、床暖房放熱配管等のシステム配管の外表を被覆して管材を保護すると共に断熱性や保温性を与える配管被覆カバーに、耐候性を与えるようにした配管被覆カバーに関するものである。
【０００２】
【発明が解決しようとする課題】
従来、住宅の水回り配管、床暖房放熱配管等のシステム配管の屋外暴露配管部分の劣化対策については、発泡材等による配管被覆カバーの外表にカーボンブラックを添加したキャンバステープを巻回して対応してきた。
【０００３】
キャンバステープの巻回には多大な時間と労力を必要とするほか、テープの外表がカーボンブラック色の黒となるため、配管環境が黒という色彩によって陰鬱な雰囲気をもたらすことになる。
【０００４】
耐候性の問題は、本来、屋外暴露配管部分に対するものではあるが、その部分だけに特殊な配管被覆カバーを用いることは能率やコストの面で返って不利となるため、配管全体について統一したカバーを用いなければならないといった問題もあり、カバー外表の色調は少しでも明るい色が望まれる。
【０００５】
【課題を解決するための手段】
本発明は上記した課題に対応しようとするものであり、カーボンブラックを添加したポリエチレンフィルムの表面に着色顔料によって着色したポリエチレンフィルムを重ねた二層フィルムによって表面を被覆したポリエチレン、ポリプロピレン等による発泡材を管状に構成して給排水管の外表を被覆するようににして配管被覆カバーを構成するようにしたものである。
【０００６】
即ち、カーボンブラックを添加したポリエチレン（ＰＥ）フィルムは、紫外線吸収力があるが、外表がカーボンブラックの黒色となるので、その外表に着色顔料によって着色したポリエチレンフィルムを重ねて二層フィルムに構成し、紫外線吸収層の黒色が外表着色ポリエチレンフィルム層によって被覆し、外表面の色彩を着色顔料の自由な色彩によって配管環境を調整するように構成した。
【０００７】
ポリエチレンフィルム１枚の厚みは７０ミクロン程度であるから、紫外線吸収層と着色被覆層の二層でカバー表層は　１４０ミクロン程度となるが、配管加工に対する柔軟性は十分確保することができ、着色も自由な色彩によることができる。
【０００８】
【実施例】
以下、本発明の実施例を図面を参照して説明する。１はポリエチレン発泡材で、カーボンブラックを添加したポリエチレンフィルムによる紫外線吸収層２と外表にエンボス加工ａを施し、着色顔料によって着色したポリエチレンフィルムによる表皮層３が重合され、工業ドライヤーによって熱風溶着されると共に管状に成形加工されている。
【０００９】
Ａは架橋ポリエチレン管等によって構成される給排水管で、上記によって成形されたカバー本体の配管挿入孔４内に挿入収納され、配管材として商品化されるものであるが、必要に応じて信号線や発熱線、電気配線（何れも図示しない。）等が配管Ａに添わせて挿入孔４内に付加挿入される。
【００１０】
また、給湯システム配管のように２本の架橋ポリエチレン管を添わせてツイン配管する場合には、本発明の実施によって成形された２本のカバー本体を並列して沿接部を溶着することによってツインカバーとしても用いることができる。
【００１１】
本発明は以上のように構成したので、屋外暴露配管部分についてキャンバステープの巻回などの特別の加工を行なうことなく、統一的な配管を行なうことができ色彩的にも着色顔料による自由な着色を選択することができ、配管環境を損なうことのない配管材を提供することができたものである。
【００１２】
【図面の簡単な説明】
【図１】本発明の実施例による配管被覆カバーの配管挿入孔内に給排水管を挿入収納した状態の構造を示す断面図
【符号の説明】
１　　　ポリエチレン発泡材
２　　　カーボンブラックによる紫外線吸収層
３　　　着色表皮層
４　　　配管挿入孔
ａ　　　エンボス加工部
Ａ　　　給排水管
【図１】
2004068929.tif 000003
(57)【要約】【課題】部品点数の増加を抑制してエンジン制御ユニットを的確に搭載することができるシリンダヘッドカバーを提供する。【解決手段】シリンダヘッドにフローティング支持されたシリンダヘッドカバー１の表面にエンジン制御ユニット７の取付面８を設ける。エンジンに供給される燃料が通流される冷却通路２を前記取付面８の背部に形成したことにより、振動および熱の伝達が制限されたシリンダヘッドカバー１をエンジン制御ユニット７の取付部材として有効利用し、もって、エンジン構成部品の点数および組立工数を低減することができるようにした。【選択図】　　　　図１
2004068708.tif 000002
【特許請求の範囲】
【請求項１】
シリンダヘッドにシリンダヘッドカバーをフローティング支持させた電子制御エンジンにおいて、前記シリンダヘッドカバーの表面にエンジン制御ユニットの取付面を設けるとともに、エンジンに供給される燃料が通流される冷却通路を前記取付面の背部に形成したことを特徴とする電子制御エンジンのシリンダヘッドカバー。
【発明の詳細な説明】
【０００１】
【発明の属する技術分野】
本発明は電子制御エンジンのシリンダヘッドカバーに関するものである。
【０００２】
【従来の技術】
制御の高精度化にともない、近年ではエンジンを電子制御することが多い。このような電子制御エンジンにおいて、従来では防振用マウントなどの別部品を介してエンジンに取り付けた冷却プレートにエンジン制御ユニットを取り付けることが多かった。
【０００３】
しかしながら、エンジン制御ユニットを取り付けることのみを目的として防振用マウントなどの別部品を用いることは、エンジンの小型軽量化およびコストダウンなどを推進する観点から好ましいとは言えず、何らかの対処が要請されていた。
【０００４】
【発明が解決しようとする課題】
本発明は上記実情に鑑みてなされたものであって、カバーとしての機能を低下させることなく部品点数の増加を抑制してエンジン制御ユニットを的確に搭載することができるシリンダヘッドカバーを提供することを課題といている。
【０００５】
【課題を解決するための手段】
上記課題を解決するために本発明は、シリンダヘッドにフローティング支持されたシリンダヘッドカバーの表面にエンジン制御ユニットの取付面を設けるとともに、エンジンに供給される燃料が通流される冷却通路を前記取付面の背部に形成したことを特徴としている。
【０００６】
【発明の実施の形態】
以下に本発明の実施形態を図に基づいて詳細に説明する。図１は本発明に係る電子制御エンジンのシリンダヘッドカバーの一実施形態を示す外観斜視図であり、図示しないシリンダヘッドの頂部には図示しないフローティングラバーを介してシリンダヘッドカバー１を取り付けることにより、シリンダヘッドの上面に取り付けた動弁機構の収容空間を密閉すると同時に、シリンダヘッドからシリンダヘッドカバー１に伝達される振動および熱などを低減するようにしている。
【０００７】
前記シリンダヘッドカバー１の頂面には、いずれも図示しない燃料ポンプから燃料噴射ポンプに供給される燃料の流路の一部を構成する冷却通路２を形成している。
【０００８】
冷却通路２は、平面矩形状をなす浅底の空所内に多数のバッフルプレート３を並設して隣接するバッフルプレート３の間に溝条を形成したうえで、各溝条の端部を隣接する他の溝条の端部に連通させて全体として一本の流路を蛇腹状に屈曲した状態に連続させたものである。４は図示しない燃料ポンプから送出された燃料を冷却通路２に導入するためのジョイントボルト、５は冷却通路２の燃料を図示しない燃料噴射ポンプに送り出すためのジョイントボルトである。
【０００９】
また、上面にエンジン制御ユニット７の取付面８を形成したカバープレート６で前記冷却通路２の上面を覆うことにより、全体としてシリンダヘッドカバー２の頂面の一部にエンジン制御ユニット７の取付面８を形成しつつ、この取付面８の背部に冷却通路２を形成している。
【００１０】
なお、カバープレートおよびエンジン制御ユニット７は、図示しないボルトなどによりそれぞれシリンダヘッドカバー１およびカバープレート６に締付固定される。
【００１１】
上記のような構成になるシリンダヘッドカバー１において、シリンダヘッドカバー１はシリンダヘッドに対してフローティング支持されているために、シリンダヘッドに対比して振動および温度が低く保たれている。また、エンジンの運転にともなって図示しないシリンダヘッドからの伝達熱もしくは放射熱などでシリンダヘッドカバー１の温度が高くなっていたとしても、シリンダヘッドカバー１としての機能は従来同様に保持されているものの、取付面８はその背部に形成された冷却通路２を流れる燃料により冷却されて温度低下している。
【００１２】
従って、エンジンが少なくとも燃料の消費をともなう運転状態にあるときはシリンダヘッドカバー１の一般部分に対比して取付面８の温度が低く保たれるものであり、しかも、フローティング支持によって振動および熱の伝達が制限されたシリンダヘッドカバーをさらに燃料で冷却してエンジン制御ユニットの取付部材として有効利用したものであるから、冷却を目的として新たにポンプなどを付加する必要性がない。
【００１３】
このために、従来のように別部品として用意した防振用マウントおよび冷却プレートなどを用いてエンジン制御ユニットを搭載する必要性がなく、エンジン構成部品の点数ならびに組立工数を低減することができる。
【００１４】
なお、実施形態ではシリンダヘッドカバーの頂面に取付面８を形成する場合について説明しているが、エンジンの搭載条件あるいはシリンダヘッドカバー１の形状によっては、シリンダヘッドカバー１の側面などに取付面８を形成してもよい。
【００１５】
また、実施形態では溝条の開放部をカバープレート６で覆って冷却通路２からの燃料の漏れを回避すると同時に取付面８を形成するようにしているが、シリンダヘッドカバー１の表面に取付面を直接に形成して冷却通路をシリンダヘッドカバーに内設し、あるいは、冷却通路を構成するパイプなどを備えたプレートをシリンダヘッドカバー１の表面に取り付けて取付面８を形成しても同効である。
【００１６】
【発明の効果】
以上の説明から明らかなように本発明は、シリンダヘッドにフローティング支持されたシリンダヘッドカバーの表面にエンジン制御ユニットの取付面を設ける一方、エンジンに供給される燃料が通流される冷却通路を前記取付面の背部に形成したものであるから、シリンダヘッドカバーとしての機能の低下をともなうことがなく、しかも、振動および熱の伝達が制限されたシリンダヘッドカバーをエンジン制御ユニットの取付部材として有効利用したものであるから、従来のように別部品として用意した防振用マウントあるいは冷却プレートなどを用いてエンジン制御ユニットを取り付ける必要性がなく、エンジン構成部品の点数および組立工数を低減することができる。
【図面の簡単な説明】
【図１】本発明に係る電子制御エンジンのシリンダヘッドカバーの一実施形態を示す外観斜視図である。
【符号の説明】
１　　シリンダヘッドカバー
２　　冷却通路
３　　バッフルプレート
４、５　　ジョイントボルト
６　　カバープレート
７　　エンジン制御ユニット
８　　取付面
【図１】
2004068708.tif 000003